(57)【要約】【課題】容易に積み上げて壁を構築できると共に、コストダウンを図ることができるレンガ壁構造を提供することを目的とする。【解決手段】木質系レンガ材（１）を、山土を主成分とする目地材（２）を介して、積み上げている。【選択図】　図１
2004052225.tif 000002
【特許請求の範囲】
【請求項１】
木質系レンガ材（１）を、山土を主成分とする目地材（２）を介して、積み上げたことを特徴とするレンガ壁構造。
【請求項２】
隣り合う木質系レンガ材（１），（１）の離間寸法（Ｗ）を、３０〜５０ｍｍとした請求項１記載のレンガ壁構造。
【請求項３】
木質系レンガ材（１）の上面と下面の少なくとも一面に、凹溝（３）を設けた請求項１又は２記載のレンガ壁構造。
【請求項４】
木質系レンガ材（１）が、天然木材、改良木材、天然繊維圧縮素材の内の一つから成る請求項１、２又は３記載のレンガ壁構造。
【請求項５】
目地材（２）が、山土を主成分とすると共に、天然繊維を混在させた請求項１、２、３又は４記載のレンガ壁構造。
【発明の詳細な説明】
【０００１】
【発明の属する技術分野】
本発明は、レンガ壁構造に関する。
【０００２】
【従来の技術】
従来のレンガ壁構造は、焼成レンガを、モルタルの目地材を介して、積み上げることで、壁を構築していた。
【０００３】
【発明が解決しようとする課題】
しかしながら、従来のレンガ壁構造では、焼成レンガは、重く、壁として高く積み上げるのに、苦労を要していた。また、焼成レンガは、焼成工程を要するため、製作に手間がかかり、コスト高となっていた。
【０００４】
そこで、本発明は、容易に積み上げて壁を構築できると共に、コストダウンを図ることができるレンガ壁構造を提供することを目的とする。
【０００５】
【課題を解決するための手段】
上述の目的を達成するために、本発明に係るレンガ壁構造は、木質系レンガ材を、山土を主成分とする目地材を介して、積み上げたものである。
【０００６】
そして、隣り合う木質系レンガ材の離間寸法を、３０〜５０ｍｍとしている。また、木質系レンガ材の上面と下面の少なくとも一面に、凹溝を設けている。
【０００７】
また、木質系レンガ材が、天然木材、改良木材、天然繊維圧縮素材の内の一つから成る。また、目地材が、山土を主成分とすると共に、天然繊維を混在させている。
【０００８】
【発明の実施の形態】
以下、実施の形態を示す図面に基づき、本発明を詳説する。
【０００９】
図１の断面平面図、図２の断面右側面図、図３の要部拡大一部破断斜視図に於て、本発明のレンガ壁構造は、木質系レンガ材１を、山土を主成分とする目地材２を介して、積み上げたものである。
【００１０】
本レンガ壁構造は、建築物の外壁や内壁に用いられ、住宅や、温度・湿度の変化を嫌う品物の貯蔵庫などに最適となる。なお、貯蔵庫としては、文化財等の保管倉庫、美術品倉庫、むろ等の農産物貯蔵庫等がある。
【００１１】
木質系レンガ材１は、天然木材、改良木材、天然繊維圧縮素材の内の一つからなり、要するに、木質系レンガ材１は、焼成レンガ以外の有機質素材で製造される。ここで、「天然木材」とは、例えば、杉、松、桧等の針葉樹などの乾燥材をいい、「改良木材」とは、天然木材に樹脂を注入したものをいい、「天然繊維圧縮素材」とは、天然木材の粉砕したもの、又は、天然（植物）繊維を、圧縮して成形した素材をいう。
【００１２】
この木質系レンガ材１は、湿気の吸収・放出の性質と、熱の不伝導の性質と、を有する。具体的に述べると、木質系レンガ材１は、室内の湿気が多くなると吸収し、他方、室内が乾燥すると湿気を放出して、室内の湿度を調整する役割と、室内を断熱する役割と、を担う。
【００１３】
目地材２は、山土を主成分として、粘土、石灰を少量加えると共に、天然繊維を混在させている。具体的に、目地材２は、山土に天然繊維を混入し水をいれて寝かすことで、製造される。ここで、「山土」とは、山の表土（腐葉土）よりも下層の土をいい、真砂土とも呼ばれ、また、「天然繊維」とは、わら、麻等のすさをいう。なお、（消）石灰等を、さらに、混入させてもよく、固まり易くなる。
【００１４】
この目地材２は、湿気の吸収・放出の性質と、熱・音の不伝導の性質と、を有する。具体的に述べると、目地材２は、前記木質系レンガ材１と同様に、室内の湿度を調整する役割と、室内を断熱する役割と、を担い、さらに、室内を遮音する役割を担う。
【００１５】
そして、本実施の形態では、木質系レンガ材１を、表裏二面各々に積み上げている。木質系レンガ材１は、長さＬが　２５０〜　４００ｍｍで、幅Ｈが９０〜　１００ｍｍで、厚さＤが３０〜６０ｍｍの直方体であり、隣り合う木質系レンガ材１，１の離間寸法Ｗは、３０〜５０ｍｍである。
【００１６】
このように、木質系レンガ材１の長さＬが、従来の焼成レンガの長さ（約　２１０ｍｍ）に比べて長いのは、壁の強度を向上させるためである。なお、木質系レンガ材１の長さＬを、半分の長さＬ／２としてもよい。
【００１７】
また、離間寸法Ｗを、従来の隣り合う焼成レンガの離間寸法（約１０ｍｍ）に比べて、３０〜５０ｍｍと長くすることで、目地材２を多量に使用して、湿度調整性能・断熱性能・遮音性能を向上させることができ、さらに、壁厚Ａが　２１０〜　２５０ｍｍと厚くなり、断熱・遮音に一層優れたものとなる。即ち、離間寸法Ｗが３０ｍｍ未満では、目地材２の使用量が少なくなり、湿度調整・断熱・遮音の各性能を期待することができず、離間寸法Ｗが５０ｍｍを越えると、目地材２の使用量が無駄に多くなる欠点がある。
【００１８】
また、木質系レンガ材１の上面と下面の夫々に、木質系レンガ材１の長手方向（長さＬ方向）に沿って、（溝幅７〜１２ｍｍ、溝深さ６〜１０ｍｍの）凹溝３が設けられている。上面の凹溝３と下面の凹溝３とは、夫々、平面視、短手方向（幅Ｈ方向）の左右に配設されている。
【００１９】
この凹溝３により、木質系レンガ材１と目地材２との密着度を高めることができ、特に、短手方向の揺れに強いものとなる。なお、図１と図２に示す符号１０は、両端に引掛部を有する連結金具であって、この連結金具１０の両端の引掛部を、表裏側の木質系レンガ材１，１の凹溝３，３に掛止して、相互に分離しないように連結して、強度アップを図っている。
【００２０】
凹溝３の溝幅は、木質系レンガ材１の幅Ｈの７〜１２％であり、凹溝３の溝深さは、木質系レンガ材１の厚さＤの１０〜２０％であり、小さな横断面となる。
【００２１】
なお、凹溝３は、木質系レンガ材１の上面と下面の少なくとも一面に設ければよく、また、凹溝３の配設位置や数量は、設計変更可能である。
【００２２】
４は、目地材２の表面側を覆う目地仕上げ材である。そして、室内用としては、珪藻土や麦飯石などを成分として含むものや、トルマリン粉末を混入したものや、火山灰（シラス）を混入したものが、好適であって、消臭や空気浄化あるいは吸湿・放湿───調湿───の効果を有し、室内環境を良好とできる。また、室外用（屋外用）の目地仕上げ材４としては、火山灰（シラス）や消石灰や漆喰等を混入したものが好適であって、断熱や遮音と防湿性に優れている。
【００２３】
以上まとめると、本レンガ壁構造は、自然界に普通に存在する「木」と「土」や「わら」等の自然材料からなっているため、高断熱・高遮音・乾湿度調整十分の居住空間を自然に得ることができる。また、現在問題になっているシックハウス症候群の原因物質のホルムアルデヒド等の化学物質を、発生することがない。このように、室内環境を良好にし、健康の増進を図ることができる。
【００２４】
また、「木」は、例えば、山で容易に調達して、簡単に加工することができ、軽量で持ち運びが容易である。そして、「土」は容易に入手できる。従って、誰でも、簡単にレンガ壁を造ることができる。
【００２５】
なお、本発明は上述の実施の形態に限定されず、本発明の要旨を逸脱しない範囲で設計変更可能である。例えば、木質系レンガ材１の材料として、解体家屋の廃材や、間伐材を利用してもよく、資源の有効利用ができる。また、目地材２の材料として、空気の浄化やマイナスイオンの発生などの性質を有する土や、室内環境に有効な成分を持つ土や、医療（健康）に有効な成分を持つ土等を、用いてもよい。さらに、木質系レンガ材１に、防腐処理を施すようにしてもよく、また、本レンガ壁構造において、壁内に鉄筋等を挿入して、耐震性・耐久性を向上させるようにしてもよい。また、本レンガ壁構造に、棚や窓枠などを取り付けるようにしてもよい。
【００２６】
【発明の効果】
本発明は上述の如く構成されるので、次に記載する効果を奏する。
【００２７】
（請求項１によれば、）木質系レンガ材１は、軽量であるため、容易に積み上げて壁を構築できる。また、木質系レンガ材１は、加工（製造）が容易で、安く入手することができ、さらに、目地材２（山土）も入手しやすいため、全体として、コストダウンを図ることができ、かつ、目地材２の再利用が可能である。
【００２８】
また、住宅の外壁として用いた場合、湿度調整・断熱・遮音の各性能が良好な室内環境を自然に得られることができる。さらに、木質系レンガ材１は、目地材２に埋まっているので、火災に強く、防火性能に優れたものとなる。しかも、将来の取り壊し時において、廃棄が簡単で、公害等の発生がない。
【００２９】
（請求項２によれば、）目地を広くしているため、目地材２を多量に使用でき、湿度調整・断熱・遮音・消臭・防火の各性能の向上を図り、室内環境が一層良好なものとなる。また、壁厚Ａを厚くでき、断熱、遮音に優れたものとなり、さらに、外壁を堅固にし、重量感をもたせ、住宅に安全性と安心感を得ることができる。
（請求項３によれば、）木質系レンガ材１と目地材２との密着度（接着度）を高め、頑丈な構造となる。
【００３０】
（請求項４、５によれば、）安価で入手しやすいものとなるため、一層、コストダウンを図ることができる。また、燃えにくい材質であるため、防火に優れたものとなる。
（請求項５によれば、）天然繊維が「つなぎ」の役目をし、強度、剛性の高い壁となる。
【図面の簡単な説明】
【図１】本発明の実施の一形態を示す断面平面図である。
【図２】断面右側面図である。
【図３】要部拡大一部破断斜視図である。
【符号の説明】
１　木質系レンガ材
２　目地材
３　凹溝
Ｗ　離間寸法
【図１】
2004052225.tif 000003
【図２】
2004052225.tif 000004
【図３】
2004052225.tif 000005